(57)【要約】【課題】冊子が形成されて、当該冊子を見開いた場合に、閲覧者が画像形成された画像を全て視認することが出来る。【解決手段】記録媒体に画像を形成する画像形成手段と、前記記録媒体に綴られる箇所が存在するか否かを検知する検知手段と、前記検知手段により前記綴られる箇所が存在すると検知されると、当該綴られる箇所を含む所定領域以外に、前記画像形成手段に画像を形成させる画像形成制御手段を有することを特徴とする画像形成装置。【選択図】図３
2013010209.tif 000002
【特許請求の範囲】
【請求項１】
記録媒体に画像を形成する画像形成手段と、
前記記録媒体に綴られる箇所が存在するか否かを検知する検知手段と、
前記検知手段により前記綴られる箇所が存在すると検知されると、当該綴られる箇所を含む所定領域以外に、前記画像形成手段に画像を形成させる画像形成制御手段を有することを特徴とする画像形成装置。
【請求項２】
前記所定領域は、前記綴られる箇所が存在する複数の記録媒体が綴られることで冊子が形成され、当該冊子を開いた場合に、視認不可能な領域であることを特徴とする請求項１記載の画像形成装置。
【請求項３】
前記所定領域が設定される設定手段を有することを特徴とする請求項１または２記載の画像形成装置。
【請求項４】
前記画像形成手段は、画像データに基づいて、前記記録媒体に画像形成するものであり、
前記画像形成制御手段は、前記検知手段により前記綴られる箇所が存在すると検知されると、白色帯状の画像についての白色帯状画像データを前記画像データに付加して、前記画像形成手段に画像形成させることを特徴とする請求項１〜３何れか１項記載の画像形成装置。
【請求項５】
前記画像形成制御手段は、前記画像形成手段の画像形成開始位置を変更することを特徴とする請求項１〜４何れか１項記載の画像形成装置。
【請求項６】
前記画像形成制御手段は、前記記録媒体の全領域内に収まるように前記画像形成手段に画像形成させることを特徴とする請求項１〜５何れか１項に記載の画像形成装置。
【請求項７】
前記綴られる箇所は、綴り穴であることを特徴とする請求項１〜６何れか１項に記載の画像形成装置。
【発明の詳細な説明】
【技術分野】
【０００１】
本発明は、画像形成装置に関する。
【背景技術】
【０００２】
近年、印刷装置では、ルーズリーフやシステム手帳に綴じるための穴が設けられた用紙に印刷する場合がある。この場合には、記録ヘッドから吐出されたインクが、穴を通過して、搬送ベルトなどを汚してしまう問題がある。そこで、特許文献１では、用紙の穴の位置を検知し、穴の位置に対応する画像データの部分をマスクして、穴へのインク吐出を防ぐ技術が開示されている。
【発明の概要】
【発明が解決しようとする課題】
【０００３】
図１Ａに、印刷用紙１０００を示す。複数の印刷用紙１０００には、綴り用の穴１０００ａが予め設けられている。特許文献１記載の技術では、綴り用の穴１０００ａに対応する画像データの部分をマスクして印刷を行なう。そして、複数の印刷用紙１０００全てに対して印刷が終了すると、図１Ｂに示すように、綴り用穴１０００ａに、止め具１２００が取り付けられて冊子が形成される。そうすると、綴り部１０００ｃが形成される。
【０００４】
図１Ｃに、複数の印刷された用紙のうち、１枚の印刷された用紙の一例を示す。図１Ｃの例では、「今日はいい天気です」という文字と、図形が印刷されている。そして、図１Ｄに示すように、形成された冊子を開くと、視認不可領域１０００ｂに相当する視認不可領域１０００ｂ（格子状で示す）に印刷された画像を閲覧者が視認できなくなるという問題がある。図１Ｃの例では、「今日はいい天気です」という文章の一部と、三角形の図形の一部が視認できない。
【０００５】
本発明では、このような問題を鑑みて、冊子が形成されて、当該冊子を見開いた場合に、閲覧者が画像形成された画像を全て視認することが出来る画像形成装置を提供する。
【課題を解決するための手段】
【０００６】
上記目的を達成するため、記録媒体に画像を形成する画像形成手段と、前記記録媒体に綴られる箇所が存在するか否かを検知する検知手段と、前記検知手段により前記綴られる箇所が存在すると検知されると、当該綴られる箇所を含む所定領域以外に、前記画像形成手段に画像を形成させる画像形成制御手段を有することを特徴とする画像形成装置を提案する。
【発明の効果】
【０００７】
本発明の画像形成装置であれば、冊子が形成されて、当該冊子を見開いた場合に、閲覧者が画像形成された画像を全て視認することが出来る。
【図面の簡単な説明】
【０００８】
【図１】従来技術の問題点などを説明するための図。
【図２】本実施例の画像形成装置のハードウェア構成の一例を示す図。
【図３】本実施例の画像形成装置の要部の一例を示す図。
【図４】本実施例の制御部の機能構成例を示す図。
【図５】本実施例の画像形成装置の処理フローの一例を示す図。
【図６】本実施例の表示部の表示の一例を示す図。
【図７】本実施例の不可される画像データの一例を示す図。
【図８】本実施例の画像形成装置による印刷結果の一例を示す図。
【図９】本実施例の外部装置などの機能構成例を示す図。
【図１０】本実施例の印刷開始を変更することを説明するための図。
【図１１】移動距離を算出することを説明するための図。
【図１２】別の実施形態の画像形成装置の処理フローの一例を示す図。
【発明を実施するための形態】
【０００９】
まず、用語の説明を行なう。画像形成装置とは例えば、プリンタ、ファクシミリ、複写装置、プロッタ、これらの複合機などである。また、記録媒体は、例えば、紙、糸、繊維、皮革、金属、プラスチック、ガラス、木材、セラミックスなどの媒体である。以下では、記録媒体を用紙として説明する。画像形成とは、文字や図形、パターンなどの画像を記録媒体に付与すること、液滴（インク）を記録媒体に着弾させることを意味する。以下では、画像形成を印刷として説明する。また、液滴には、インク、記録液、定着処理液、画像形成を行うことができる液体、例えば、ＤＮＡ試料、レジスト、パターン材料などからなるものを含む。以下では、液滴をインクとして説明する。
【００１０】
また、図１Ｂに示すように、冊子状にされた場合に綴じられた箇所を、綴り部１０００ｃ（ノド部ともいう）という。また、綴り部１０００ｃ（ドットを付す）に対応し、形成された冊子を開いても、閲覧者が視認できない領域を視認不可領域１０００ｂ（図１Ａに示すように格子状を付す）という。
【００１１】
図２に本実施例の画像形成装置１００のハードウェア構成を示す。図２に示すようには、本実施例の画像形成装置１００は、制御部１１０、主記憶部１２０、補助記憶部１３０、外部記憶装置Ｉ／Ｆ部１４０、ネットワークＩ／Ｆ部１６０、操作部１７０、表示部１８０、エンジン部１９０を含む。これらの構成部は、バス５００により接続されている。
【００１２】
制御部１１０は、コンピュータの中で、各装置の制御やデータの演算、加工を行うものである。また、制御部１１０は、主記憶部１２０に記憶されたプログラムを実行する演算装置であり、入力装置や記憶装置からデータを受け取り、演算、加工した上で、出力装置や記憶装置に出力する。
【００１３】
主記憶部１２０は、ＲＯＭ（Read Only Memory）やＲＡＭ（Random Access Memory）などであり、制御部１１０が実行する基本ソフトウェアであるＯＳやアプリケーションソフトウェアなどのプログラムやデータを記憶又は一時保存する記憶装置である。
【００１４】
補助記憶部１３０は、ＨＤＤ（Hard Disk Drive）などであり、アプリケーションソフトウェアなどに関連するデータを記憶する記憶装置である。外部記憶装置I／F部１４０は、ＵＳＢ（Universal Serial Bus）などのデータ伝送路を介して接続された記憶媒体３１５（例えば、フラッシュメモリなど）と画像形成装置１００とのインタフェースである。
【００１５】
また、記憶媒体１５０に、所定のプログラムを格納し、この記憶媒体１５０に格納されたプログラムは外部記憶装置I／F部１４０を介して画像形成装置にインストールされ、インストールされた所定のプログラムは画像形成装置により実行可能となる。
【００１６】
ネットワークＩ／Ｆ部１６０は、有線及び／又は無線回線などのデータ伝送路により構築されたＬＡＮ（Local Area Network）、ＷＡＮ（Wide Area Network）などのネットワークを介して接続された外部装置６００（例えば、ＰＣ）と画像形成装置１００とのインタフェースである。
【００１７】
操作部１７０や表示部１８０は、キースイッチ（ハードキー）とタッチパネル機能（ＧＵＩのソフトウェアキーを含む：Graphical User Interface）を備えたＬＣＤ（Liquid Crystal Display）とから構成され、画像形成装置１００が有する機能を利用する際のＵＩ（User Interface）として機能する。
【００１８】
エンジン部１９０は、画像形成に係る処理を行うキャリッジ３３（図３参照）、スキャナ（図示せず）等の機構部分や、各モータなどを駆動させる箇所である。
【００１９】
図３に、本実施例の画像形成装置１００の要部の機能構成例を示す。図３では、本実施例の画像形成装置１００が、インクジェット記録装置である場合について示すが、他の形態の記録装置に適用してもよい。フレーム２１は、左右の側板２１Ａ、２１Ｂ、後板２１Ｃを含むものである。ガイドロッド３１は、左右の側板２１Ａ、２１Ｂに横架されている。キャリッジ３３は、ガイドロッド３１により、主走査方向（図３では矢印α）に往復移動可能に保持される。そして、制御部１１０がエンジン部１９０（図２参照）を駆動することで、キャリッジ３３は、主走査方向に往復移動される。
【００２０】
また、用紙１０００は、搬送ベルト９０に載置され、搬送ベルト９０をローラ５３などにより回転駆動させて、用紙１０００を副走査方向（β方向）に搬送させる。搬送ベルト９０の移動は、制御部１１０がエンジン部１９０を駆動することで行なわれる。
【００２１】
このようにして、制御部１１０は、画像データに応じてキャリッジ３３を主走査方向に駆動することにより、停止している用紙１０００にインクを吐出して１行分を印刷する。そして、制御部１１０は、搬送ベルト９０により用紙１０００を副走査方向に所定量搬送後、次の行の印刷を行う。制御部１１０は、印刷が終了したことを示す印刷終了信号又は用紙１０００の後端が記録領域に到達した信号を受けることにより、印刷処理を終了して、用紙１０００を排紙トレイ（図示せず）に排紙する。
【００２２】
また、キャリッジ３３には、送受光センサ３７が接続されている。送受光センサ３７が、搬送ベルト９０及び用紙１０００に対して発光し、搬送ベルト９０及び用紙１０００からの反射光を受光する。そして、送受光センサ３７が、当該反射光を電気信号に変換して制御部１１０に送信する。そして、制御部１１０は、送信された電気信号を取得して、搬送ベルト９０の幅及び用紙１０００の幅などを検知する。
【００２３】
キャリッジ３３には各色（この例では、イエロー（Ｙ）、シアン（Ｃ）、マゼンタ（Ｍ）、ブラック（Ｂｋ））のインク滴を吐出する４個の記録ヘッド３５が搭載されている。４個の記録ヘッド３５それぞれのインク吐出口は、搬送される用紙１０００に対向して配置される。また、本実施例の画像形成装置がインクジェット記録装置に適用される場合には、４個の記録ヘッド３５が画像形成手段３５となる。画像形成手段３５とは、画像データに基づいて、用紙１０００に画像形成を行うものである。
【００２４】
また、４個の液滴吐出ヘッド３５それぞれには、各色のインクを供給するための各色のサブタンク３４が搭載されている。この各色のサブタンク３４には各色のインク供給チューブ３６が接続されている。カートリッジ装填部４に装着された各色のインクカートリッジ１０（１０ｋ、１０ｃ、１０ｍ、１０ｙ）から各色のインクが、インク供給チューブ３６により、各色のサブタンク３５に供給される。なお、このカートリッジ装填部４にはインクカートリッジ１０内のインクを送液するための供給ポンプユニット２４が設けられている。また、インク供給チューブ３６は這い回しの途中で後板２１Ｃに係止部材２５により保持されている。
［実施形態１］
次に、実施形態１の画像形成装置について説明する。図４に本実施形態１の制御部１１０の機能構成例を示す。図５に、本実施形態１の画像形成装置１００の処理フローを示す。まず、判断手段１１０６が、外部装置６００（図２参照）から送信された印刷ジョブを受信したか否かを判断する（ステップＳ２）。この印刷ジョブには、ユーザにより入力された印刷される画像データと、印刷を指示する指示情報などが含まれる。判断手段１１０６が、印刷ジョブを受信したと判断すると（ステップＳ２のＹｅｓ）、ステップＳ４に移行する。また、判断手段１１０６が、印刷ジョブを受信したと判断するまで待機する（ステップＳ２のＮｏ）。
【００２５】
次に、検知手段１１０２は、用紙に綴られる箇所が存在するか否かを検知する（ステップＳ４）。ここで、「綴られる箇所」とは、例えば、「ファイルや手帳に綴じられるために用紙に設けられた綴り穴」や、「印刷された複数の用紙を冊子形状にするためにホッチキスなどで綴られる箇所」などである。つまり、印刷された複数の用紙それぞれの綴られる箇所に所定の処理（例えば、止め具１２００が取り付けられる処理や、ホッチキスが綴じられる処理）が施されて、冊子が形成されて、視認不可領域１０００ｂの部分（図１Ｂ参照）が形成される。以下では、「綴られる箇所」を「綴り穴１０００ａ」であるとして説明する。
【００２６】
次に、検知手段１１０２の綴り穴１０００ａの検知の手法について説明する。まず、上述のように、送受光センサ３７は、搬送ベルト９０の幅及び用紙１０００の幅を検知することが出来る、と説明した。この実施形態１の送受光センサ３７は、用紙１０００の幅と共に、用紙１０００に設けられた綴り穴１０００ａ（図１参照）も検知することが出来る。例えば、搬送ベルト９０の色が黒色であり、用紙１０００の色が白色であるとする。この場合には、送受光センサ３７から用紙１０００の用紙領域（用紙１０００の全領域のうち、綴り穴１０００ａ以外の領域）に対して発光された光の反射光の光量と、送受光センサ３７から綴り穴１０００ａに対して発光された光の反射光の光量とは異なる。つまり、用紙領域からの反射光から変換される電気信号と、綴り穴１０００ａからの反射光から変換される電気信号とは異なる。従って、検知手段１１０２は、用紙１０００に綴り穴１０００ａが存在するか否かを検知することが出来る。また、検知手段１１０２は、綴り穴１０００ａを検知すると、綴り穴１０００ａの画像データの座標（綴り穴１０００ａの位置）を取得する。ここで、綴り穴１０００ａの画像データの座標とは、綴り穴１０００ａを構成するドットの全ての座標をいう。
【００２７】
また、検知手段１１０２の綴り穴１０００ａの検知の他の手法について説明する。ユーザが、印刷される用紙に綴り穴１０００ａがある旨の情報を操作部１７０から入力できるようにする。例えば、図６に示すように、表示部１８０をタッチパネルとして機能させ、「用紙（１０００）に綴り穴（１０００ａ）がありますか？」という旨を示す情報１８０２と、Ｙｅｓボタン１８０４とＮｏボタン１８０６の表示をさせる。ユーザが印刷する際に、設定情報（例えば、印刷枚数や印刷濃度など）を入力する操作部１７０または表示部１８０から入力させる際に、図６の画面を表示させればよい。
【００２８】
そして、ユーザは、Ｙｅｓボタン１８０４またはＮｏボタン１８０６を押下する。そして、押下されたボタンについての情報を、検知手段１１０２が取得することで、検知手段１１０２は、用紙１０００に綴り穴１０００ａが設けられているか否かを検知することが出来る。
【００２９】
検知手段１１０２が、綴り穴１０００ａを検知すると（ステップＳ６のＹｅｓ）、ステップＳ８に移行する。一方、検知手段１１０２が、綴り穴１０００ａを検知しないと（ステップＳ６のＮｏ）、印刷ジョブに含まれる画像データに基づいて、画像形成手段３４は用紙１０００に対して印刷をする（ステップＳ１４）。
【００３０】
ステップＳ８では、算出手段１１０８は、印刷領域を算出する（ステップＳ８）。ここで「印刷領域の算出」とは、印刷すべき用紙の全領域に対して、印刷される領域を算出することをいう。
【００３１】
次に、判断手段１１０６は、検知手段１１０２が検知した綴り穴１０００ａの座標（ステップＳ４での処理）が、算出手段１１０８が算出した印刷領域内（ステップＳ８の処理）に含まれているか否かを判断する（ステップＳ１０）。ここで、綴り穴１０００ａの座標が印刷領域内に含まれているということは、綴り穴１０００ａの画像データを構成するドットの全ての座標が、印刷領域内に存在する、ということである。判断手段１１０６により、綴り穴１０００ａの座標が、印刷領域内に含まれていないと判断されれば、印刷ジョブに含まれていた画像データに基づいて、画像形成手段３５は用紙１０００に対して印刷を行なう（ステップＳ１４）。
【００３２】
また、ステップＳ１０で、判断手段１１０６により、綴り穴１０００ａの座標が、印刷領域内に存在していると判断すると（ステップＳ１０のＹｅｓ）、ステップＳ１２に移行する。ステップＳ１２では、画像形成制御手段１１０４は、綴り穴を含む所定領域以外に、印刷させるように画像形成手段３５を制御する。ここで、所定領域とは、図１Ａ記載の視認不可領域１０００ｂである。
【００３３】
実施形態１では、当該画像形成手段３５の制御の一例として、画像データに他の画像データを付加する手法を説明する。図７に当該手法について示す。図７Ａは、変更前の画像データを模式的に示したものであり、図７Ｂは変更後の画像データを模式的に示したものである。
【００３４】
また、図７Ａ、Ｂでは、綴り穴１０００に対応する画像データである綴り穴データ２０００と画像データ３０００とを示す。なお、綴り穴データ２０００（つまり、綴り穴１０００ａの座標ともいえる）は、ステップＳ４で検知手段１１０２により取得されるものであり、画像データ３０００は、ステップＳ８で算出手段１１０８により取得されるものである。また、ステップＳ１０でＹｅｓと判断されていることから、画像データ３０００の全領域（印刷領域）内に、綴り穴データ２０００（綴り穴１０００ａの座標）が存在する。
【００３５】
そして、画像形成制御手段１１０４は、図７Ｂに示すように、綴り穴データ２０００を含む所定領域（視認付加領域１０００ｂ）以外に画像形成されるように、画像データを付加する。図７Ａ、Ｂの例では、画像データ３０００に対して、画像データ３２００を付加（上書き）する変更を行なっている。そして、画像形成制御手段１１０４は、当該変更された画像データに基づいて、画像形成手段３５に用紙１０００に対して印刷させる（ステップＳ１４）。そして、複数の印刷された用紙を綴って、冊子を形成することで、図８に示すように、冊子を開いても、全ての画像を視認する事が出来る。
【００３６】
また、換言すれば、画像形成制御手段１１０４は、付加する画像データ３２００についての領域以外の領域（つまり、図７Ｂの３０００'の領域）に、画像形成手段３５に印刷させる。つまり、付加する画像データ３２００についての領域以外の領域を非印刷領域とする。
【００３７】
また、付加される画像データ３２００の大きさは、複数の印刷された用紙が綴り穴２０００に止め具１２００（図１Ｂ参照）などで綴られて冊子にされ、当該冊子を開いた場合に、印刷された全ての画像が視認できるように予め設定される。
【００３８】
また、図７Ａ、Ｂに示すように、付加される画像データ３２００の画像の色は白色が好ましいが、印刷された画像が見づらくならないような色（例えば、薄いグレーなど）であってもよい。また、付加される画像データ３２００の形状は帯状であることが好ましいが、他の形状でも良い。
【００３９】
この実施形態１の画像形成装置であれば、冊子などを形成するための綴り穴１０００ａが設けられた用紙に対して印刷を行なう場合に、自動的に、綴り穴１０００ａを含む所定領域（視認不可領域１０００ｂ）を避けて、印刷される。従って、視認不可領域１０００ｂに画像が印刷されることはないので、ユーザの処理を軽減させつつ、図８に示すように、見開いても全ての画像を視認できる適切な冊子を形成することが出来る。
［実施形態２］
次に、実施形態２の画像形成装置について説明する。実施形態１では、付加される画像データ３２００は、予め定められているとして説明した。実施形態２の画像形成装置は、ユーザが設定できる設定手段を有する。実施形態２では、２つの設定手段について説明する。
［１つ目の設定手段］
図９に、１つ目の設定手段を説明するための図を示す。図９には、図２で示した外部装置６００の機能構成例などを示す。また、図９の例では、外部装置６００がＰＣである場合について説明する。ユーザは、入力手段６００１（例えば、キーボードやマウスなど）に、ユーザが所望する、白色画像データ３２００についての白色画像の幅ｒ（図７参照）を入力する。ここで、幅とは、用紙上において、複数の綴り穴１０００ａが形成されている方向と直交する方向である。そうすると、入力された白色画像の幅ｒは、アプリケーション６００２を通して、ＧＤＩ（Ｇｒａｐｈｉｃ  Ｄｅｖｉｃｅ  Ｉｎｔｅｒｆａｃｅ）によりプリンタドライバ６００６に入力される。ここで、ＧＤＩは、ＷｉｎｄｏｗｓＸＰ（登録商標）等のＷｉｎｄｏｗｓＯＳ（登録商標）に実装されているものである。
【００４０】
そして、プリンタドライバ６００６は、ネットワーク７００を経由して、画像形成装置１００のネットワークＩ／Ｆ部１６０（図２にも記載）に送信される。白色画像の幅ｒは、制御部１１０に一旦送信されて、記憶部１２５に記憶される。ここで、記憶部１２５とは、図２で示した主記憶部１２０、補助記憶部１３０などを含むものである。また、記憶部１２５は、不揮発メモリであることが好ましい。このように、１つ目の設定手段は、外部装置６００となる。
［２つ目の設定手段］
次に、２つ目の設定手段について図２を用いて説明する。ユーザは、操作部１７０からユーザが所望する白色画像の幅ｒを入力する。当該入力された白色画像の幅ｒは、制御部１１０へ一旦送信されて、記憶部１２５に記憶される。このように、２つめの設定手段とは、操作部１７０である。
【００４１】
また、ユーザが印刷の度に、白色画像の幅ｒを設定するようにすれば、白色画像の幅ｒを記憶部１２５に記憶させる必要はない。従って、記憶部１２５の記憶コストを削減できる。逆に、設定された白色画像の幅ｒを記憶部１２５に記憶させるようにしておけば、それ以降は、ユーザは白色画像の幅ｒを設定する必要はない。従って、ユーザの処理を削減することが出来る。
【００４２】
また、白色画像の幅ｒを設定するのではなく、視認不可領域の幅Ｒを自由に設定できるようにしてもよい。
【００４３】
この実施形態２の画像形成装置によれば、白色画像の幅ｒまたは視認不可領域の幅Ｒをユーザが自由に設定できる。従って、ユーザにとって自由度の高い印刷を行なうことができる。また、
［実施形態３］
次に、実施形態３の画像形成装置について説明する。実施形態１、２の画像形成制御手段１１０４は、画像データに画像データ３２００を付加するような、画像データの変更を行なうと、説明した。実施形態３の画像形成制御手段１１０４は、画像データの変更を行なわずに、視認不可領域１０００ｂに印刷させないように、画像形成手段３５を制御するものである。
【００４４】
図１０に、実施形態３の画像形成装置により印刷される画像について示す。なお、図１０と図７とは類似しているが、図７は画像データの概念図であるのに対し、図１０は用紙１０００に印刷される画像を示している。
【００４５】
実施形態３の画像形成制御手段１１０４は、用紙に対して行なわれる印刷の開始位置を変更させるように、画像形成手段３５を制御するものである。図１０Ａには、印刷開始位置Ｓ１が変更される前の、印刷される画像４０００について示す。この場合であると、綴り穴１０００ａや、視認不可領域１０００ｂにも印刷されてしまい、冊子が形成されると、視認不可領域１０００ｂに画像が印刷されてしまい、冊子を開いても、閲覧者は印刷された全ての画像を視認出来ない。
【００４６】
そこで、図１０Ｂに示すように、本実施形態３の画像形成手段１１０４は、綴り穴１０００ａや視認不可領域１０００ｂに印刷されないように、印刷開始位置Ｓ１を変更する。具体的には、画像形成制御手段１１０４は、綴り穴１０００ａが設けられている側と反対側の方向に印刷開始位置を移動距離ｕだけ幅方向にずらす。この移動距離ｕは、ユーザなどにより、予め定められており、例えば、記憶部１２５に記憶させるようにしてもよい。なお、この移動距離ｕは、付加される白色帯状画像データ３２００の幅ｒと等しい。
【００４７】
また、移動距離ｕを予め定めず、制御部１１０が、印刷領域と綴り穴１０００ａの座標とから求めるようにしてしてもよい。図１１を用いて詳細に説明する。なお、図１１Ａ、Ｂはそれぞれ、図１０Ａ、Ｂの左下部分を拡大した部分であり、幅方向の座標を用いて説明する。図１１Ａ、Ｂに示すように、用紙１０００の綴り穴１０００ａが存在する側の端（以下、「左端」という。）の座標を「０」とし、印刷領域の左端の座標をｘ１とし、綴り穴１０００ａの右端（綴り穴１０００ａがある側と反対側の端）の座標をｘ２とする。そして、綴り穴１０００ａの右端から変更後の印刷開始位置までの離間距離ｔを予め定めておく。そうすると、画像形成制御手段１１０４は、移動距離ｕは以下の式（１）により求めることが出来る。
【００４８】
ｕ＝ｘ２−ｘ１＋ｔ      （１）
式（１）および、離間距離ｔは、予め記憶部１２５に記憶されている。そして、ステップＳ６で綴り穴１０００ａの右端の座標ｘ２を取得し、ステップＳ８で印刷領域の左端の座標ｘ１を取得すると、上記式（１）を用いて、画像形成制御手段１１０４は、移動距離ｕを求めることが出来る。そして、制御部１１０は、画像形成手段３５の印刷開始位置を移動距離ｕだけずらすような制御信号をエンジン部１９０に対して送信する。
【００４９】
このように、ステップＳ１０で、判断手段１１０６により、綴り穴１０００ａの座標が印刷領域内に存在すると判断されると、画像形成制御手段１１０４は、視認不可領域１０００ｂに印刷されないように、印刷開始位置を変更する。具体的には、画像形成制御手段１１０４は、画像形成手段３５の印刷開始位置を移動距離ｕだけ、綴り穴が設けられている側と反対側に移動させる（ずらす）。このようにすることで、画像データを変更する必要はないので、制御部１１０の負担を軽減しつつ、ユーザが適切に冊子を形成することが出来る。
［実施形態４］
次に、実施形態４の画像形成装置について説明する。図１２に、実施形態４の画像形成装置の処理フローを示す。図１２は、図５と比較して、ステップＳ１２と、ステップＳ１４との間に、ステップＳ２０、ステップＳ２２とが介入されている点で異なる。
【００５０】
上述のように、ステップＳ１０でＹｅｓと判断された後に、画像形成制御手段１１０４は、画像形成手段３５を制御する（ステップＳ１２）。この画像形成制御手段１１０４による画像形成手段３５の制御は、例えば、白色画像データを付加することや（実施形態１、２で説明）、印刷開始位置を変更することである（実施形態３で説明）。しかし、このような画像形成制御手段１１０４による制御により、用紙１０００の全領域内に、印刷画像が収まりきらずに印刷されてしまう場合がある。特に、印刷領域の幅が、用紙の幅を超えてしまうことが想定される。
【００５１】
このような想定に備えて、ステップＳ１４の印刷実行の前に、判断手段１１０６が、印刷領域の幅（以下、「印刷領域幅」という。）が用紙１０００の幅（以下、「用紙幅」という。）を超えるか否かを判断する（ステップＳ２０）。そして、判断手段１１０６が、印刷領域幅が用紙幅を超えないと判断すると（ステップＳ２０のＮｏ）、画像形成制御手段１１０４は、そのまま画像形成手段３５に印刷させる（ステップＳ１４）。
【００５２】
一方、判断手段１１０６が、印刷領域幅が用紙幅を超えると判断すると（ステップＳ２０のＹｅｓ）、画像形成制御手段１１０４は、画像データを変更する（ステップＳ２２）。ここで、画像データの変更には、例えば２つの手法がある。
【００５３】
第１の変更手法では、印刷領域幅が用紙幅を超えないように、印刷領域（つまり画像データ）を縮小する。縮小率は、印刷領域幅が用紙幅を超えず、かつ、画像が最も大きくなるように、画像形成制御手段１１０４により設定される。
【００５４】
次に、第２の変更手法について説明する。第２の変更手法では、印刷領域幅が用紙幅を超えないように、印刷領域をずらすように、画像形成制御手段１１０４は、画像データを変更する。つまり、印刷領域が視認不可領域１０００ｂの領域に位置されないように、かつ、印刷領域幅が用紙幅を超えないように、画像形成制御手段１１０４は、画像データを変更する。
【００５５】
この実施形態によれば、画像形成制御手段１１０４が画像形成手段３５を制御した（制御信号を送信した）後に、ステップＳ２０で、印刷領域が用紙幅を超えるか否かを判断する。そして、印刷領域が用紙幅を超えると判断されると、画像形成制御手段１１０４は、画像データを変更する。当該画像データの変更とは、例えば、画像データの縮小や画像データの移動である。
【００５６】
従って、確実に、視認不可領域１０００ｂの領域に、画像が印刷されず、かつ、印刷される画像を用紙１０００内に収めることが出来る。
［その他］
上記では、「綴られる箇所」が、「綴り穴」である場合について説明した。本実施例の画像形成装置では、「綴られる箇所」が「綴り穴」の他に、「ステープルで綴られる箇所」などとしてもよい。つまり、本実施例の画像形成装置が、ホッチキス処理（ステープル処理）を行なう手段を有する場合に、ユーザが、操作部１７０からホッチキス処理を行う旨の情報を入力する。ステープルが留められる箇所は、予め定まっていることから、当該ステープル箇所を綴り穴の箇所として、実施形態１〜４で説明した処理を行なうようにすればよい。このように、ユーザが印刷された複数の用紙がステープルにより綴られることで冊子を形成する場合に、当該綴られる箇所が存在する用紙に印刷する場合には、本実施形態の画像形成装置の技術的思想を適用できる。
【符号の説明】
【００５７】
２１      フレーム
３１      ガイドロッド
３３      キャリッジ
３５      画像形成手段
３７      送受光センサ
１００    画像形成装置
１１０    制御ブロック
１２０    主記憶部
１３０    補助記憶部
１４０    外部記憶装置Ｉ／Ｆ部
１５０    記憶媒体
１６０    ネットワークＩ／Ｆ部
１７０    操作部
１８０    表示部
１１０２  検知手段
１１０４  画像形成制御手段
１１０６  判断手段
１１０８  算出手段
【先行技術文献】
【特許文献】
【００５８】
【特許文献１】特開２００８−２７３１９７号公報
【図１】
2013010209.tif 000003
【図２】
2013010209.tif 000004
【図３】
2013010209.tif 000005
【図４】
2013010209.tif 000006
【図５】
2013010209.tif 000007
【図６】
2013010209.tif 000008
【図７】
2013010209.tif 000009
【図８】
2013010209.tif 000010
【図９】
2013010209.tif 000011
【図１０】
2013010209.tif 000012
【図１１】
2013010209.tif 000013
【図１２】
2013010209.tif 000014